(57)【要約】      （修正有）【課題】袖口が大きく開いているデザインであっても、着用者が腕や手を上げた際に、被服の内部が覗きにくい被服を提供する。【解決手段】本考案に係る被服１０は、胴体部１と、袖部２とを備える。胴体部１は、着用者の胴体を覆っている。胴体部１は、着用者の肩の位置に配置される肩部１１を有する。袖部２は、着用者の腕を覆っている。袖部２は、着用者の腕が通過する袖口２３を有する。袖部２は、第１袖部２１と、第２袖部２２とを有する。第２袖部２２は、袖口２３において、胴体部１の内部に向かって第１袖部２１から折り返されている。第２袖部２２は、胴体部１の内部に位置する内部開口２４を含む。第２袖部２２は、肩部１１に固定される。【選択図】図１
0003208483.tif 000002
【実用新案登録請求の範囲】
【請求項１】
着用者の胴体を覆う胴体部と、着用者の腕を覆い、着用者の腕が通過する袖口を有する袖部とを備え、
前記胴体部は、着用者の肩の位置に配置される肩部を有し、
前記袖部は、第１袖部と、前記袖口において前記第１袖部から前記胴体部の内部に向かって折り返され、かつ前記胴体部の内部において着用者の腕が通過する内部開口を含む第２袖部とを有し、
前記第２袖部は、前記胴体部の内部において前記肩部に固定されている、被服。
【請求項２】
前記袖口の開口幅は、前記内部開口の開口幅より大きい、請求項１に記載の被服。
【請求項３】
前記胴体部及び前記袖部は、前身頃と、前記前身頃に対向するように配置される後身頃とにより構成されており、
前記前身頃及び前記後身頃の各々は、複数枚の布により構成されている、請求項１に記載の被服。
【請求項４】
前記胴体部は、第１胴体部と、前記第１胴体部と重ね合わされる第２胴体部とを有しており、
前記第１胴体部は、前記第２胴体部よりも着用者に近い位置に配置される、請求項１に記載の被服。
【考案の詳細な説明】
【技術分野】
【０００１】
本考案は、被服に関する。
【背景技術】
【０００２】
従来から、Ｔシャツ等の被服が知られている。Ｔシャツ等の被服をゆったりとしたデザインにする場合、通常は、Ｔシャツの袖口が大きく開けられる。
【考案の概要】
【考案が解決しようとする課題】
【０００３】
Ｔシャツ等の被服の袖口を開けた場合、着用者が腕や手を上げたときに、袖口から被服の内部が覗いてしまうという問題点がある。本考案は、このような従来技術の問題点に鑑みてなされたものである。より具体的には、本考案は、袖口を大きく開けた場合であっても、着用者が腕や手を上げた際に、被服の内部が覗きにくい被服を提供する。
【課題を解決するための手段】
【０００４】
本考案の一態様に係る被服は、胴体部と、袖部とを備える。胴体部は、着用者の胴体を覆っている。胴体部は、着用者の肩の位置に配置される肩部を有する。袖部は、着用者の腕を覆っている。袖部は、着用者の腕が通過する袖口を有する。
【０００５】
袖部は、第１袖部と、第２袖部とを有する。第２袖部は、袖口において、胴体部の内部に向かって第１袖部から折り返されている。第２袖部は、胴体部の内部に位置する内部開口を含む。第２袖部は、肩部に固定される。
【考案の効果】
【０００６】
本考案の一態様に係る被服によると、袖口が大きく開いているデザインであっても、着用者が腕や手を上げた際に、被服の内部を覗きにくくすることができる。
【図面の簡単な説明】
【０００７】
【図１】第１の実施形態に係る被服の正面図である。
【図２】第１の実施形態に係る被服の袖口近傍での拡大側面図である。
【図３】第２の実施形態に係る被服の正面図である。
【図４】第２の実施形態に係る被服の変形例の正面図である。
【図５】第３の実施形態に係る被服の正面図である。
【考案を実施するための形態】
【０００８】
以下に、実施形態について図を参照して説明する。なお、各図中同一または相当部分には同一符号を付している。また、以下に記載する実施形態の少なくとも一部を任意に組み合わせてもよい。
【０００９】
（第１の実施形態の構成）
以下に、第１の実施形態に係る被服の構成について説明する。
【００１０】
図１は、第１の実施形態に係る被服１０の正面図である。なお、図１においては、被服１０の左半分のみを示している。図１に示すように、第１の実施形態に係る被服１０は、例えばＴシャツである。但し、第１の実施形態に係る被服１０は、これに限られるものではない。
【００１１】
第１の実施形態に係る被服１０は、胴体部１と、袖部２とを有している。胴体部１は、着用者の胴体を覆っている部分である。胴体部１は、肩部１１と、襟ぐり１２と、裾１３とを有している。
【００１２】
肩部１１は、着用者の肩の上の位置に配置されている。襟ぐり１２は、着用者の首が通過する位置に配置されている。裾１３は、着用者の腰の回りに配置されている。襟ぐり１２及び裾１３は、胴体部１の内部と連通している。
【００１３】
袖部２は、着用者の腕を覆っている部分である。袖部２は、第１袖部２１と、第２袖部２２とを有している。なお、第２袖部２２は、図１中において、斜線で示されている。第１袖部２１と第２袖部２２とは、重なって配置されている。第２袖部２２は、第１袖部２１よりも着用者の身体（腕）に近い側に配置されている。袖部２の長さは、デザインに応じて適宜選択される。
【００１４】
袖部２は、袖口２３を有している。第２袖部２２は、内部開口２４を有している。着用者の腕は、袖口２３及び内部開口２４を通過する。袖口２３は、第１の開口幅Ｗ１を有している。内部開口２４は、第２の開口幅Ｗ２を有している。第１の開口幅Ｗ１は、第２の開口幅Ｗ２よりも大きいことが好ましい。なお、第１の開口幅Ｗ１は、袖口２３の裾１３から襟ぐり１２に向かう方向（丈方向）における開口幅である。第２の開口幅Ｗ２は、内部開口２４の丈方向における開口幅である。
【００１５】
袖部２は、胴体部１の内部に向かって折り返されている。より具体的には、第２袖部２２は、袖口２３において折り返されている。袖部２は、第２袖部２２が胴体部１の内部に配置されるように折り返されている。このことを別の観点からいえば、第１袖部２１と第２袖部２２との境界が、袖口２３となっている。第２袖部２２は、胴体部１の内部に位置するように折り返されている。第２袖部２２は、胴体部１の内部において、肩部１１に固定されている。
【００１６】
第１の実施形態に係る被服１０は、前身頃１０ａ（図示せず）と、後身頃１０ｂ（図示せず）とにより構成されている。第１の実施形態に係る被服１０においては、胴体部１に位置する前身頃１０ａと袖部２に位置する前身頃１０ａとは、１枚の布により形成されている。第１の実施形態に係る被服１０においては、胴体部１に位置する後身頃１０ｂと袖部２に位置する後身頃１０ｂとは、１枚の布により形成されている。
【００１７】
前身頃１０ａと後身頃１０ｂとは、互いに対向するように配置されている。より具体的には、前身頃１０ａ及び後身頃１０ｂの各々の端を互いに縫着することにより、胴体部１及び袖部２が構成されている。
【００１８】
図２は、第１の実施形態に係る被服１０の袖口２３近傍での拡大側面図である。図２に示すように、第２袖部２２が胴体部１の内部に向かって折り返されるとともに、肩部１１に固定されているため、側面視において袖口２３が第２袖部２２と重なっている。すなわち、第２袖部２２が胴体部１の内部に向かって折り返されることにより、外部から覗く胴体部１の内部の範囲（図２中において斜線により示されている）が、袖口２３よりも狭くなっている。
【００１９】
（第２の実施形態の構成）
以下に、第２の実施形態に係る被服２０の構成について説明する。以下においては、第１の実施形態に係る被服１０と異なる点について主に説明し、同様の説明については繰り返さない。
【００２０】
図３は、第２の実施形態に係る被服２０の正面図である。図３には、第２の実施形態に係る被服２０の左半分のみを示している。図３に示すように、第２の実施形態に係る被服２０は、例えば、Ｔシャツである。第２の実施形態に係る被服２０は、胴体部１と、袖部２とを有している。胴体部１は、肩部１１と、襟ぐり１２と、裾１３とを有している。袖部２は、第１袖部２１と、第２袖部２２とを有している。袖部２は、袖口２３を有している。第２袖部２２は、内部開口２４を有している。第１の開口幅Ｗ１は、第２の開口幅Ｗ２より大きくてもよい。これらの点において、第２の実施形態に係る被服２０は、第１の実施形態に係る被服１０と共通している。
【００２１】
しかしながら、第１の実施形態に係る被服１０においては、前身頃１０ａ及び後身頃１０ｂの各々が、１枚の布により形成されている一方、第２の実施形態に係る被服２０においては、前身頃２０ａ及び後身頃２０ｂの各々が、複数枚の布により構成されている。この点において、第２の実施形態に係る被服２０は、第１の実施形態に係る被服１０と異なっている。
【００２２】
より具体的には、第２の実施形態に係る被服２０においては、前身頃２０ａは、第１部分２０ａａと、第２部分２０ａｂとを有している。第１部分２０ａａは、少なくとも袖部２を含んでいる部分である。第２部分２０ａｂは、第１部分２０ａａ以外の部分である。第１部分２０ａａと第２部分２０ａｂとの境界線は、胴体部１のわきの下に位置する部分から丈方向に沿って延びている。第１部分２０ａａと第２部分２０ａｂとは、一体に形成されていない（複数枚の布を縫着して形成されている）。
【００２３】
同様に、図示していないが、第２の実施形態に係る被服２０においては、後身頃２０ｂは、第１部分２０ｂａと、第２部分２０ｂｂとを有している。第１部分２０ｂａは、少なくとも袖部２を含む部分である。第２部分２０ｂｂは、第１部分２０ｂａ以外の部分である。第１部分２０ｂａと第２部分２０ｂｂとの境界線は、胴体部１のわきの下に位置する部分から丈方向に沿って延びている。第１部分２０ｂａと第２部分２０ｂｂとは、一体に形成されていない（複数枚の布を縫着して形成されている）。
【００２４】
図４は、第２の実施形態に係る被服２０の変形例の正面図である。図４に示すように、第２の実施形態に係る被服２０においては、第１部分２０ａａ（第１部分２０ｂａ）と第２部分２０ａｂ（第２部分２０ｂｂ）との境界線が、胴体部１のわきの下に位置する部分から、襟ぐり１２に向かって延びていてもよい。すなわち、第２の実施形態に係る被服２０は、ラグランスリーブとなっている。
【００２５】
（第３の実施形態の構成）
以下に、第３の実施形態に係る被服３０の構成について説明する。以下においては、第１の実施形態に係る被服１０と異なる点について主に説明し、同様の説明については繰り返さない。
【００２６】
図５は、第３の実施形態に係る被服３０の正面図である。図５に示すように、第３の実施形態に係る被服３０は、例えば、Ｔシャツである。第３の実施形態に係る被服３０は、胴体部１と袖部２とを有している。胴体部１は、肩部１１と、襟ぐり１２と、裾１３とを有している。袖部２は、第１袖部２１と、第２袖部２２とを有している。袖部２は、袖口２３を有している。第２袖部２２は、内部開口２４を有している。第１の開口幅Ｗ１は、第２の開口幅Ｗ２より大きくてもよい。これらの点において、第３の実施形態に係る被服３０は、第１の実施形態に係る被服１０と共通している。
【００２７】
しかしながら、第３の実施形態に係る被服３０は、第１胴体部１ａと、第２胴体部１ｂとを有している点において、第１の実施形態に係る被服１０と異なっている。なお、第１胴体部１ａは、図５中において一点鎖線で示されている。
【００２８】
第１胴体部１ａ及び第２胴体部１ｂは、第１胴体部１ａが着用者の身体に近い側に位置し、第２胴体部１ｂが着用者の身体から遠い側に位置するように重ね合わされている。例えば、第１胴体部１ａは、着用者の身体のラインに沿うような形状を有している一方、第２胴体部１ｂは、着用者の身体のラインよりもゆったりとした形状を有している。
【００２９】
（第１の実施形態ないし第３の実施形態に係る被服の効果）
以下に、第１の実施形態に係る被服１０の効果について説明する。上記のとおり、第１の実施形態に係る被服１０においては、袖部２は、第２袖部２２が胴体部１の内部に位置するように折り返されている。また、上記のとおり、第２袖部２２は、肩部１１に固定されている。
【００３０】
その結果、第２袖部２２が、袖口２３と側面視において重なっている。その結果、外部から覗く胴体部１の内部の範囲が、袖口２３よりも狭くなっている。そのため、第１の実施形態に係る被服１０によると、袖口２３が大きく開いたようなデザインの場合でも、被服の内部が覗きにくい。
【００３１】
第１の実施形態に係る被服１０において、第１の開口幅Ｗ１が第２の開口幅Ｗ２よりも大きい場合、外部から覗く胴体部１の内部の範囲がより狭くなる。そのため、この場合には、被服の内部がさらに覗きにくくなる。
【００３２】
以下に、第２の実施形態に係る被服２０の効果について説明する。
第２の実施形態に係る被服２０によると、第１の実施形態に係る被服１０と同様に、袖口２３が大きく開いたようなデザインの場合でも、被服の内部が覗きにくい。これに加えて、第２の実施形態に係る被服２０によると、袖部２や肩部１１回りのデザインを多様化することができる。
【００３３】
以下に、第３の実施形態に係る被服２０の効果について説明する。
第３の実施形態に係る被服３０によると、第１の実施形態に係る被服１０と同様に、袖口２３が大きく開いたようなデザインの場合でも、被服の内部が覗きにくい。これに加えて、第３の実施形態に係る被服２０によると、胴体部１のデザインを多様化することができる。例えば、第１胴体部１ａを着用者の身体のラインに沿うような形状とし、第２胴体部１ｂを着用者の身体のラインよりもゆったりとした形状とすることにより、被服のフィット感を確保しつつ、着用者の身体のラインを隠すことができる。
【００３４】
今回開示された実施形態はすべての点で例示であって、制限的なものではないと考えられるべきである。本考案の範囲は上記した実施形態ではなく実用新案登録請求の範囲によって示され、実用新案登録請求の範囲と均等の意味、および範囲内でのすべての変更が含まれることが意図される。
【符号の説明】
【００３５】
１  胴体部、１ａ  第１胴体部、１ｂ  第２胴体部、２  袖部、１０，２０，３０  被服、１０ａ，２０ａ  前身頃、１０ｂ，２０ｂ  後身頃、１１  肩部、１２  襟ぐり、１３  裾、２０ａａ，２０ｂａ  第１部分、２０ａｂ，２０ｂｂ  第２部分、２１  第１袖部、２２  第２袖部、２３  袖口、２４  内部開口、Ｌ１  第１の長さ、Ｌ２  第２の長さ、Ｗ１  第１の開口幅、Ｗ２  第２の開口幅。
【図１】
0003208483.tif 000003
【図２】
0003208483.tif 000004
【図３】
0003208483.tif 000005
【図４】
0003208483.tif 000006
【図５】
0003208483.tif 000007